(57)【要約】【課題】紙幣に必要な意匠性を備え且つ誰でも真偽判定が容易にできる非銀塩型のポリマー紙幣用偽造防止技術の提供を目的とした。【解決手段】長辺を垂直に２等する線分９について線対称な位置に、潜像パターンを内蔵する偽造防止用絵柄部２と、前記潜像の検証用パターン部３と、を備えることを特徴とするポリマー紙幣１であって、前記潜像パターンが平版印刷によって印刷された万線パターン、もしくは万線状レリーフホログラム、またはレリーフ型回折格子のいずれかである。【選択図】図１
2015093439.tif 000002
【特許請求の範囲】
【請求項１】
長辺を垂直に２等分する線分について線対称な位置に、潜像パターンを内蔵する偽造防止用絵柄部と、前記潜像の検証用パターン部と、を備えることを特徴とするポリマー紙幣。
【請求項２】
前記潜像パターンが平版印刷によって印刷された万線パターンであって、潜像検証用パターン部がレリーフ型回折格子であることを特徴とする請求項１に記載のポリマー紙幣。
【請求項３】
前記潜像パターンが、万線状レリーフホログラムであって、潜像検証用パターン部がレリーフ型回折格子であることを特徴とする請求項１に記載のポリマー紙幣。
【請求項４】
前記潜像パターンが、レリーフ型回折格子であって、潜像検証用パターン部もレリーフ型回折格子であることを特徴とする請求項１に記載のポリマー紙幣。
【発明の詳細な説明】
【技術分野】
【０００１】
本発明は、モアレパターンを用いたポリマー紙幣の偽造防止技術に関する。
【背景技術】
【０００２】
紙幣には、日本の紙幣のように耐久性のある紙に印刷したタイプとポリマーフィルムをベースにしたものがある（以下、ポリマー紙幣と記す。）。ポリマー紙幣は、透明な合成樹脂フィルム上に白いインクを印刷し不透明化した上で、定法の印刷法で所望の図柄印刷を行い、その上に磨耗防止用の保護膜をコーティングしたものである。この他、ＯＶＤ（特殊ホログラム、Optical Variable Device）を随所に配置するなど、紙上では直接実現しがたい加工が可能なため意匠性・セキュリティー性を高めることが可能である（特許文献１）。
【０００３】
従来から、ポリマー紙幣を含む銀行券、商品券、パスポート等の有価証券や個人認証媒体には、偽造防止対策として偽造・模造の困難な光学媒体の形成・貼付が行われている。光学媒体が真正か偽造かの判定は目視による判定か、検証器を用いた判定が可能である。モアレパターンやサーモクロミックインキパターンを使った潜像のように、目視判定が行える偽造防止用光学媒体は、施された偽造防止技術が見取られてしまうが故に、技術が推認され模倣・偽造がされやすい。
【０００４】
そこで、近年は、検証器を用いて真贋判定を行う偽造防止媒体に、注目が集まっており、２色性色素あるいは液晶等、偏光技術を応用して通常では視認されない潜像を形成し、検証時には偏光フィルムを重ねて潜像を出現させる技術が偽造防止に応用されているが、これだけでは技術の進歩に伴い偽造されてしまう可能性は皆無ではない。ポリマー紙幣用の偽造防止用パターンについては、意匠性が要求されるとともに、簡便に真偽判定ができることが求められている。
【０００５】
特に、ポリマー紙幣用の偽造防止技術というわけではないが、適用可能な技術としてモアレ効果と偏光潜像を組み合わせた偽造防止技術が特許文献２に開示されている。これはモアレ効果の元になる万線パターンを複屈折性のある材料で構成して、異なる位相差がパターンの各部で発現するように配置したものである。異質な潜像が２種類あり、一つは単なる万線潜像であり、他の一つは偏光潜像であって、それぞれの潜像の顕現には２つの異なる検証フィルター、偏光フィルターと万線からなる顕像用フィルターとを使用するという複雑な検証手段が必要である。
【先行技術文献】
【特許文献】
【０００６】
【特許文献１】特開２０１２−７８４４７号公報
【特許文献２】特開２０１０−２２１５４２号公報
【特許文献３】国際公開２０１０／１４７１８５号
【発明の概要】
【発明が解決しようとする課題】
【０００７】
ところで、モアレ効果を利用した潜像の顕像技術は、真偽判定時に検証の対象となる印刷物やホログラム媒体に対して、専用の検証用フィルターが必要である。さらに、確実な検証結果を得るためには、媒体と検証側の双方の万線パターンについて高いピッチ精度と隠蔽度の高い描画技術が必要である。そこで一般には、モアレ検証用フィルターは、フィルム上の銀塩系感光材料に対して万線パターンをデジタル出力して作成することが必要で
ある。
【０００８】
ところが銀塩系感光材料を使用する検証用フィルムの製造は、大量生産が難しくコストが高くつくという問題がある。銀塩感光材料を支持するフィルムには表裏があり、フィルムの厚さが検証時の画質に影響するという問題もある。また、顕像を視認するためには、検証対象媒体と検証用フィルムの正確な位置合わせが必要であるがこれが簡単ではない。さらにまた、検証対象媒体と検証用フィルターとが別物であるため、検証用フィルターを紛失する可能性があるというなど、種々の問題を抱えたシステムである。
そこで、本発明は、紙幣に必要な意匠性を備え且つ誰でも真偽判定が容易にできる非銀塩型のポリマー紙幣用偽造防止技術の提供を目的とした。
【課題を解決するための手段】
【０００９】
上記目的を達成するための請求項１に記載の発明は、長辺を垂直に２等分する線分について線対象な位置に、潜像パターンを内蔵する偽造防止用絵柄部と、前記潜像の検証用パターン部と、を備えることを特徴とするポリマー紙幣としたものである。
【００１０】
また、請求項２に記載の発明は、前記潜像パターンが平版印刷によって印刷された万線パターンであって、潜像検証用パターン部がレリーフ型回折格子であることを特徴とする請求項１に記載のポリマー紙としたものである。
【００１１】
また、請求項３に記載の発明は、前記潜像パターンが、万線状レリーフホログラムであって、潜像検証用パターン部がレリーフ型回折格子であることを特徴とする請求項１に記載のポリマー紙としたものである。
【００１２】
また、請求項４に記載の発明は、前記潜像パターンが、レリーフ型回折格子であって、潜像検証用パターン部もレリーフ型回折格子であることを特徴とする請求項１に記載のポリマー紙幣としたものである。
【発明の効果】
【００１３】
本発明になるポリマー紙幣は、検証フィルターの製造に、印刷法あるいはロールエンボス法が適用できるため同時大量生産が可能である。また、真偽判定用の絵柄部と検証用フィルター部が、紙幣自体に共存しているので検証が紙幣内で可能で、且つ位置合わせも容易である。したがって別の検証用フィルターを製造する必要がないという効果がある。
【図面の簡単な説明】
【００１４】
【図１】ポリマー紙幣における偽造防止用絵柄部と検証用フィルターの位置関係を説明する図面である。（ａ）絵柄が平版印刷、（ｂ）絵柄がホログラム、（ｃ）絵柄が回折格子からなる。
【図２】万線パターンの配置の一例（ａ）と、それに検証用フィルターを重ねた場合のモアレ発現に起因する濃淡変化を示す図である（ｂ）。
【発明を実施するための形態】
【００１５】
以下、本発明になるポリマー紙幣用偽造防止構造の実施態様について図面を参照して説明する。図１はポリマー紙幣の、本発明にかかる部分だけを図示したものである。
ポリマー紙幣１には、元来コピーを防止するために印刷インキが全く塗布されていない合成フィルムが露出した透明な非印刷部が紙幣の一部に存在している。当該部位には、必ずしも印刷模様がないわけではなく透明部分も含めて紙幣の意匠・外観の一部を構成する部分である。
【００１６】
本発明になるポリマー紙幣１も同様な部位を備えており、当該部位２は通常の絵柄以外
に、できれば絵柄を損なわないような形態で偽造防止用の仕掛けがされている。すなわち、絵柄Ｂ，Ｃ，Ｄの一部が万線に置き換えられている。しかし、万線であることは拡大してみなければ分からないようになっている。本発明は、前記の部位以外に、さらにポリマー紙幣１が真正であるか否かを万線部分の存在形態から判断するために、その仕掛けを見分ける検証用フィルター部３を、これも貨幣としての意匠性を損なわないようにして紙幣の別の部分に配設したものである。
【００１７】
両者の配置は、偽造防止用の絵柄部２と検証用フィルター部３が紙幣長手方向で線対称になるようにするのが好ましい。そのほうが、紙幣１を２等分線９で折り曲げることで、偽造防止用の絵柄模様２内の万線と検証用フィルター部３を簡単に重ね合わせることができるからである。但し、対角線方向に配置するような場合や、紙幣短手方向に線対称に配置するのを否定するものではない。要は位置合わせができればよい。
【００１８】
検証用フィルター３が重ねられる偽造防止用絵柄部分２は、図１（ａ）から（ｃ）に示すように３通りの方法で合成フィルム上に形成される。一つは平版印刷（オフセット印刷）で印刷される万線からなる潜像パターンを一部に有する絵柄である（Ｂ）。もう一つは潜像パターン入りホログラムである（Ｃ）。別の一つは、潜像パターン入り回折格子である（Ｄ）。全ての潜像パターンは、（Ａ）以外は全て万線状のレリーフパターンから構成されている。検証用のフィルター３も万線状のレリーフパターン（回折格子）であり、重ね合わせるとモアレパターンが観察されて、これが所望の外観を呈するか否かで紙幣としての真偽が判定される。
【００１９】
先ず、万線潜像について図２を使って説明する。万線４は、万線角度（万線の延長方向）、ピッチ、万線位相（ずれ）を規定することで一義的に決まるが、いずれか１つ以上が異なる万線同士を重ねると、図２（ｂ）に示すように特有のパターンが周期的に生成され観察される（モアレ効果）。この特有パターンが隣接して２つ以上発現するようにしてあれば非一様な模様が視認される。
【００２０】
あるいはより簡単に、万線パターン中に少しだけ、ずれた部分（潜像）を形成しておいて、検証フィルター側の万線部分を対象物の万線に重ねることで万線が隠されて、万線中の少しだけずれた部分だけが視認されるようにしてもよい。
【００２１】
平版印刷（オフセット印刷）は、微細な万線パターンの印刷に好適で大量印刷に向いている印刷方式である。平版印刷による偽造防止用絵柄部Ｂは万線からなる潜像パターンを内蔵している。潜像パターンは、図２に示すように背景部分５と潜像部分６の二つの領域からなってもよいし、一つだけであってもよい。二つ以上では、万線の太さ、角度、ピッチ、位相のいずれか一つ以上が異なっている。線それ自体は微細なため万線が描かれた領域５，６は外観上は均一であって、細線一本一本が視認されることはなく、このような形態で偽造防止用パターンの一部として内蔵されている。
【００２２】
例えば、図２（ａ）は、印刷絵柄の模様の一例であるが、外側の背景部５は上下方向に伸びる万線パターンで、中央の星型の潜像パターンは４５度斜めの万線が追加されている。万線４の密度が異なるので境界の内外で濃淡が付いて見える。これに前者のいずれとも異なる角度の万線を有する検証用フィルター７を重ねると、モアレが発生して図２（ｂ）のように内外の濃淡が変化するようにできる。
【００２３】
あるいは図１（ａ）に示すように、印刷された絵柄Ａの内部に同じ形状の万線を文字“ＯＫ”を構成するように埋め込んでおくことができる。“ＯＫ”の部分は、図１（ａ）の左図にあるが、他の印刷絵柄部２を損なわないように埋め込まれている。検証用フィルター３も万線パターンを有するが、“ＯＫ”の角度と異なるように埋め込んでおけば、２等分線９で折り曲げて重ねると、図１の右図で示すように“ＯＫ”がモアレ効果で視認される。これ以外に万線パターンがなければ、残りの絵柄は、フィルターで遮蔽されて濃度が薄くなって見えるだけである。検証フィルター３側の万線パターンも絵柄に埋め込んでおいても構わない。
【００２４】
紙幣の長手方向の２等分線９で折り曲げて重ねたときに、偽造防止用絵柄２の一部または全体で所望のモアレパターンが発現すれば紙幣１は真正と判断される。絵柄２と検証フィルター３側に位置合わせ用の適当な印を設けることも容易である。
検証の対象物となる万線パターンは上述の印刷法で形成したものでもホログラム等の回折格子でも構わず、万線構造を備えるものであればよい。
【００２５】
一方、検証用フィルター３は、万線状のレリーフ型回折格子である必要がある。当該回折格子は、ポリマー紙幣１の前述した所定部位に形成されるが、以下、この製造方法について述べる。これは、偽造防止用絵柄部２がホログラム（Ｃ）あるいは回折格子（Ｄ）からなる場合にも適用される。印刷絵柄部（Ａ）以外については、検証用フィルター３と絵柄内の万線レリーフパターンは同時に製造できる。
【００２６】
絵柄側の万線の太さは、太すぎても細すぎても検証用フィルターを重ねたときに潜像が視認しにくくなるので、１０〜１０００μｍの範囲、好ましくは１０〜５００μｍの範囲である。ピッチは、２０〜２０００μｍの範囲、好ましくは２０〜１０００μｍの範囲である。万線比率は、１／１０〜９／１０の範囲で、好ましくは１／３〜２／３の範囲であり、最も好ましいのは１／２である。
【００２７】
万線パターンは、例えば、微細な凸部を設けた金型を、ポリマー紙幣のベースフィルムとなるフィルム基材上の樹脂層に押し付けることにより形成することができる。この際、これら凸部の形状は、樹脂層に設ける所望の凹部形状に対応した形状とする。
【００２８】
レリーフパターンは、例えば、フィルム基材上に熱可塑性樹脂を塗布し、これに上記の凸部が設けられた原版を、熱を印加しながら押し当てる方法により形成する。この場合、上記の熱可塑性樹脂としては、例えば、アクリル系樹脂、エポキシ系樹脂、セルロース系樹脂、ビニル系樹脂、これらの混合物、又は、これらの共重合物を使用する。
【００２９】
あるいは、レリーフパターンは、基材上に熱硬化性樹脂層を塗布し、これに上記の凸部が設けられた原版を押し当てながら熱を印加し、その後、原版を取り除く方法により形成してもよい。この場合、熱硬化性樹脂としては、例えば、ウレタン樹脂、メラミン系樹脂、エポキシ樹脂、フェノール系樹脂、これらの混合物、又は、これらの共重合物を使用する。なお、このウレタン樹脂は、例えば、反応性水酸基を有したアクリルポリオール及びポリエステルポリオール等に、架橋剤としてポリイソシアネートを添加して、これらを架橋させることにより得られる。
【００３０】
あるいは、レリーフパターンは、基材上に放射線硬化樹脂を塗布し、これに原版を押し当てながら紫外線等の放射線を照射して上記材料を硬化させ、その後、原版を取り除く方法により形成してもよい。あるいは、レリーフパターンは、基材と原版との間に上記組成物を流し込み、放射線を照射して上記材料を硬化させ、その後、原版を取り除く方法により形成してもよい。
【００３１】
放射線硬化樹脂は、典型的には、重合性化合物と開始剤とを含んでいる。
【００３２】
重合性化合物としては、例えば、光ラジカル重合が可能な化合物を使用する。光ラジカル重合が可能な化合物としては、例えば、エチレン性不飽和結合又はエチレン性不飽和基
を有したモノマー、オリゴマー又はポリマーを使用する。或いは、光ラジカル重合が可能な化合物として、１，６−ヘキサンジオール、ネオペンチルグリコールジアクリレート、トリメチロールプロパントリアクリレート、ペンタエリスリトールトリアクリレート、ペンタエリスリトールテトラアクリレート、ペンタエリスリトールペンタアクリレート及びジペンタエリスリトールヘキサアクリレート等のモノマー、エポキシアクリレート、ウレタンアクリレート及びポリエステルアクリレート等のオリゴマー、又は、ウレタン変性アクリル樹脂及びエポキシ変性アクリル樹脂等のポリマーを使用してもよい。
【００３３】
重合性化合物として光ラジカル重合が可能な化合物を使用する場合、開始剤としては、光ラジカル重合開始剤を使用する。この光ラジカル重合開始剤としては、例えば、ベンゾイン、ベンゾインメチルエーテル及びベンゾインエチルエーテル等のベンゾイン系化合物、アントラキノン及びメチルアントラキノン等のアントラキノン系化合物、アセトフェノン、ジエトキシアセトフェノン、ベンゾフェノン、ヒドロキシアセトフェノン、１−ヒドロキシシクロヘキシルフェニルケトン、α−アミノアセトフェノン及び２−メチル−１−（４−メチルチオフェニル）−２−モルホリノプロパン−１−オン等のフェニルケトン系化合物、ベンジルジメチルケタール、チオキサントン、アシルホスフィンオキサイド、又は、ミヒラーズケトンを使用する。
【００３４】
あるいは、重合性化合物として、光カチオン重合が可能な化合物を使用してもよい。光カチオン重合が可能な化合物としては、例えば、エポキシ基を備えたモノマー、オリゴマー若しくはポリマー、オキセタン骨格含有化合物、又は、ビニルエーテル類を使用する。
【００３５】
重合性化合物として光カチオン重合が可能な化合物を使用する場合、開始剤としては、光カチオン重合開始剤を使用する。この光カチオン重合開始剤としては、例えば、芳香族ジアゾニウム塩、芳香族ヨードニウム塩、芳香族スルホニウム塩、芳香族スルホニウム塩、芳香族ホスホニウム塩又は混合配位子金属塩を使用する。
【００３６】
あるいは、重合性化合物として、光ラジカル重合が可能な化合物と光カチオン重合が可能な化合物との混合物を使用してもよい。この場合、開始剤としては、例えば、光ラジカル重合開始剤と光カチオン重合開始剤との混合物を使用する。或いは、この場合、光ラジカル重合及び光カチオン重合の双方の開始剤として機能し得る重合開始剤を使用してもよい。このような開始剤としては、例えば、芳香族ヨードニウム塩又は芳香族スルホニウム塩を使用する。
【００３７】
なお、放射線硬化樹脂に占める開始剤の割合は、例えば、０．１〜１５質量％の範囲内とする。
【００３８】
放射線硬化樹脂は、増感色素、染料、顔料、重合禁止剤、レベリング剤、消泡剤、タレ止め剤、付着向上剤、塗面改質剤、可塑剤、含窒素化合物、エポキシ樹脂等の架橋剤、離型剤又はこれらの組み合わせを更に含んでいてもよい。また、放射線硬化樹脂には、その成形性を向上させるべく、非反応性の樹脂を更に含有させてもよい。この非反応性の樹脂としては、例えば、上記の熱可塑性樹脂及び／又は熱硬化性樹脂を使用することができる。
【００３９】
レリーフパターンの形成に用いる上記の原版は、例えば、電子線描画装置又はナノインプリント装置を用いて製造する。こうすると、上述した複数の凹部又は凸部を高い精度で形成することができる。なお、通常は、原版の凹凸構造を転写して反転版を製造し、この反転版の凹凸構造を転写して複製版を製造する。そして、必要に応じ、複製版を原版として用いて反転版を製造し、この反転版の凹凸構造を転写して複製版を更に製造する。実際の製造では、通常、このようにして得られる複製版を使用する。
【００４０】
レリーフパターンは、典型的には、フィルム基材と、その上に形成された樹脂層とを含んでいる。このフィルム基材としては、例えば、ポリエチレンテレフタレート（ＰＥＴ）フィルム、ポリエチレンナフタレート（ＰＥＮ）フィルム及びポリプロピレン（ＰＰ）フィルム等のプラスチックフィルムを使用する。
【００４１】
樹脂層は、例えば、上述した方法により形成される。樹脂層の厚みは、例えば０．１μｍ〜１０μｍの範囲内とする。この厚みが過度に大きいと、加工時の加圧等による樹脂のはみ出し及び皺が生じ易くなる。この厚みが過度に小さいと、所望の凹構造及び凸構造の形成が困難となる場合がある。また、樹脂層の厚みは、その主面に設けるべき凹部又は凸部の深さ又は高さと等しくするか又はそれより大きくする。この厚みは、例えば、凹部又は凸部の深さ又は高さの１〜１０倍の範囲内とし、典型的には、その３〜５倍の範囲内とする。
【００４２】
なお、レリーフパターンの形成は、例えば、特許第４１９４０７３号公報に開示されている「プレス法」、実用新案登録第２５２４０９２号公報に開示されている「キャスティング法」、又は、特開２００７−１１８５６３号公報に開示されている「フォトポリマー法」を用いて行ってもよい。
【００４３】
レリーフパターン形成後は、透明なアクリル樹脂層で紙幣全体を被覆するのが好ましい。
【符号の説明】
【００４４】
１……ポリマー紙幣
２……偽造防止用絵柄部
３……検証用フィルター部
４……万線パターン
５……万線背景部
６……万線潜像部
７……万線フィルター
８……顕像
９……２等分線（紙幣長辺の）
Ａ：検証フィルター
Ｂ：偽造防止用絵柄（印刷）
Ｃ：偽造防止用絵柄（ホログラム）
Ｄ：偽造防止用絵柄（回折格子）
【図１】
2015093439.tif 000003
【図２】
2015093439.tif 000004